(57)【要約】【課題】便蓋の内面に衣服が触れることを防ぎ、簡便かつ衛生的に便器を使用することができる自動的に方向転換を行う便蓋を備える便座を提供する。【解決手段】自動的に方向転換を行う便蓋を備える便座は、ベース体１１上に設けられた第１の回動部および第２の回動部と、第１の回動部および第２の回動部を駆動するモータと、を有する起動装置１と、起動装置１の第２の回動部に接続された後端部を有する便座２と、上部枢着部３２およびベルト固定部３３を上に有するピボット座３１が内面に設けられた便蓋３と、起動装置１の第１の回動部に接続された後端部と、下部枢着部４１が設けられた中間部分と、を有する持ち上げアーム４と、方向転換アーム５と、ベルト６とを備える。【選択図】図１
0003152430.tif 000002
【実用新案登録請求の範囲】
【請求項１】
ベース体上に設けられた第１の回動部および第２の回動部と、前記第１の回動部および前記第２の回動部を駆動するモータと、を有する起動装置と、
前記起動装置の前記第２の回動部に接続された後端部を有する便座と、
上部枢着部およびベルト固定部を上に有するピボット座が内面に設けられた便蓋と、
前記起動装置の前記第１の回動部に接続された後端部と、下部枢着部が設けられた中間部分と、を有する持ち上げアームと、
凹溝の長尺部材が設けられた中央部分と、前記持ち上げアームの前記下部枢着部が回動可能に設けられた下端部へ、前記便蓋の内面に設けられた前記ピボット座の前記上部枢着部へ回動可能に接続され、前記便蓋を押し上げる弾性部材が接続された上端部と、を有し、前記凹溝中の上端部近くに横付けされた上部回転軸と、前記凹溝中の下端部近くに横付けされた下部回転軸と、を有する方向転換アームと、
前記便座の底部に固定された下端部と、前記方向転換アームの前記下部回転軸の下方から前記凹溝に入れられ、前記下部回転軸および前記上部回転軸を通り、前記上部回転軸の上方から前記凹溝を出て、前記便蓋の内面に設けられた前記ピボット座のベルト固定部に接続された上端部と、を有するベルトと、を備えることを特徴とする自動的に方向転換を行う便蓋を備える便座。
【請求項２】
前記起動装置の前記モータは、前記第１の回動部および前記第２の回動部をそれぞれ駆動させることを特徴とする請求項１に記載の自動的に方向転換を行う便蓋を備える便座。
【請求項３】
前記起動装置の前記ベース体の中間部分には、２つの円筒状の前記第２の回動部を接続する凹部が設けられ、
前記２つの第２の回動部の中間部分には、円筒状の前記第１の回動部が接続され、前記ベース体中に前記モータが接続されることを特徴とする請求項２に記載の自動的に方向転換を行う便蓋を備える便座。
【請求項４】
前記便座の前記後端部の中央箇所には開口部が設けられ、
前記ベルトの前記下端部が前記開口部に通され、前記便座の底部に固定されることを特徴とする請求項１に記載の自動的に方向転換を行う便蓋を備える便座。
【請求項５】
前記持ち上げアームは、矩形状であり、前記起動装置の前記第１の回動部に接続された後端部と、前記方向転換アームに対応した形状の嵌合溝が設けられた中間部分と、を有し、
前記嵌合溝は、中間部分に前記下部枢着部が設けられ、前端部近くの内壁には可動可能な位置決め鋼球が設けられ、
前記方向転換アームは、前記嵌合溝中の前記下部枢着部へ回動可能に接続された下端部と、位置決め鋼球の位置に対応した箇所に位置決め孔が設けられた側面と、を有することを特徴とする請求項１に記載の自動的に方向転換を行う便蓋を備える便座。
【請求項６】
前記下部枢着部は、前記嵌合溝中に横付けされ、前記方向転換アームの下端部に貫設された枢軸であることを特徴とする請求項５に記載の自動的に方向転換を行う便蓋を備える便座。
【請求項７】
前記便蓋の前記ピボット座は、前記便蓋の内面に接続された２つの凸座を有し、
前記上部枢着部および前記ベルト固定部は、前記２つの凸座の間に横付けされたクロスバーであり、前記クロスバーの１つは、前記方向転換アームの前記上端部に接続され、他の前記クロスバーは、前記ベルトの上端部に接続されることを特徴とする請求項１に記載の自動的に方向転換を行う便蓋を備える便座。
【請求項８】
前記ベルトの前記上端部は、前記クロスバーに係合されたリングに接続されることを特徴とする請求項７に記載の自動的に方向転換を行う便蓋を備える便座。
【請求項９】
前記リングは楕円形状の環体であることを特徴とする請求項８に記載の自動的に方向転換を行う便蓋を備える便座。
【請求項１０】
前記弾性部材はトーションバネであることを特徴とする請求項１に記載の自動的に方向転換を行う便蓋を備える便座。
【考案の詳細な説明】
【技術分野】
【０００１】
本考案は、自動的に方向転換を行う便蓋を備える便座に関し、特に、便蓋を上げると自動的に表面を前方へ向ける電動便座本体に関する。
【背景技術】
【０００２】
従来の手で上げ下げする洋式トイレに接続された便座本体は、互いに枢着された便座および便蓋を含む。便器を使用する際、通常、便器の便蓋を素手で上げなければならなかった。特に男性が小便をするときは、尿が便座の表面にかかるのを防ぐために、便座を素手で上げる必要があった。
しかし、面倒くさがって便座を上げずに使用するユーザもおり、その場合、便座および上げた便蓋の内面に尿が付着してしまう虞があった。
さらに、便座を上げた場合でも、はねた尿が便座の穴を介して便蓋の内面に付着し、後で使用するユーザが便座に座ったときに衣服の背中側が便蓋の内面に触れてしまい、ユーザが不快な思いをする虞があった。
また、電動で蓋を開け閉めする便座が既に存在しているが、これは便蓋の上げ下げを単純に行うことしかできず、便座の内側が依然として前方を向いていた。そのため、便座に座った際、尿が付着した便座の内側にユーザの衣服が触れてしまう虞があり、衛生上問題があった。
【考案の概要】
【考案が解決しようとする課題】
【０００３】
そのため、便蓋および便座を素手で上げる必要がなく、便蓋が上げられると自動的に表面を前方へ向け、便蓋の内面に衣服が触れることを防ぐことができる自動的に方向転換を行う便蓋を備えた便座が求められていた。
【０００４】
本考案の目的は、電動便座および方向転換の構造を利用し、電動で制御された便蓋を開くときに、便蓋の表面を前方へ向けることにより、便蓋の内面に衣服が触れることを防ぎ、簡便かつ衛生的に便器を使用することができる自動的に方向転換を行う便蓋を備える便座を提供することにある。
【課題を解決するための手段】
【０００５】
上記課題を解決するために、本発明の第１の形態によれば、ベース体上に設けられた第１の回動部および第２の回動部と、前記第１の回動部および前記第２の回動部を駆動するモータと、を有する起動装置と、前記起動装置の前記第２の回動部に接続された後端部を有する便座と、上部枢着部およびベルト固定部を上に有するピボット座が内面に設けられた便蓋と、前記起動装置の前記第１の回動部に接続された後端部と、下部枢着部が設けられた中間部分と、を有する持ち上げアームと、凹溝の長尺部材が設けられた中央部分と、前記持ち上げアームの前記下部枢着部が回動可能に設けられた下端部へ、前記便蓋の内面に設けられた前記ピボット座の前記上部枢着部へ回動可能に接続され、前記便蓋を押し上げる弾性部材が接続された上端部と、を有し、前記凹溝中の上端部近くに横付けされた上部回転軸と、前記凹溝中の下端部近くに横付けされた下部回転軸と、を有する方向転換アームと、前記便座の底部に固定された下端部と、前記方向転換アームの前記下部回転軸の下方から前記凹溝に入れられ、前記下部回転軸および前記上部回転軸を通り、前記上部回転軸の上方から前記凹溝を出て、前記便蓋の内面に設けられた前記ピボット座のベルト固定部に接続された上端部と、を有するベルトと、を備えることを特徴とする自動的に方向転換を行う便蓋を備える便座が提供される。
【０００６】
また、前記起動装置の前記モータは、前記第１の回動部および前記第２の回動部をそれぞれ駆動させることが好ましい。
【０００７】
また、前記起動装置の前記ベース体の中間部分には、２つの円筒状の前記第２の回動部を接続する凹部が設けられ、前記２つの第２の回動部の中間部分には、円筒状の前記第１の回動部が接続され、前記ベース体中に前記モータが接続されることが好ましい。
【０００８】
また、前記便座の前記後端部の中央箇所には開口部が設けられ、前記ベルトの前記下端部が前記開口部に通され、前記便座の底部に固定されることが好ましい。
【０００９】
また、前記持ち上げアームは、矩形状であり、前記起動装置の前記第１の回動部に接続された後端部と、前記方向転換アームに対応した形状の嵌合溝が設けられた中間部分と、を有し、前記嵌合溝は、中間部分に前記下部枢着部が設けられ、前端部近くの内壁には可動可能な位置決め鋼球が設けられ、前記方向転換アームは、前記嵌合溝中の前記下部枢着部へ回動可能に接続された下端部と、位置決め鋼球の位置に対応した箇所に位置決め孔が設けられた側面と、を有することが好ましい。
【００１０】
また、前記下部枢着部は、前記嵌合溝中に横付けされ、前記方向転換アームの下端部に貫設された枢軸であることが好ましい。
【００１１】
また、前記便蓋の前記ピボット座は、前記便蓋の内面に接続された２つの凸座を有し、前記上部枢着部および前記ベルト固定部は、前記２つの凸座の間に横付けされたクロスバーであり、前記クロスバーの１つは、前記方向転換アームの前記上端部に接続され、他の前記クロスバーは、前記ベルトの上端部に接続されることが好ましい。
【００１２】
また、前記ベルトの前記上端部は、前記クロスバーに係合されたリングに接続されることが好ましい。
【００１３】
また、前記リングは楕円形状の環体であることが好ましい。
【００１４】
また、前記弾性部材はトーションバネであることが好ましい。
【考案の効果】
【００１５】
本考案は以下（１）〜（３）の長所を有する。
（１）制御ボックスをユーザが操作することにより、起動装置により持ち上げアームおよび方向転換アームを駆動させて便蓋を単独で上げ、ベルトの引く力を利用し、便蓋の方向転換を行って前方へ向けることができるため、便器を衛生的に使用することができる。
（２）男性が小便をするとき、起動装置を制御して便座および便蓋を上げ、便座に尿がはねることを防ぎ、便器を衛生に保つことができる。
（３）停電のときでも、手動で便蓋または便座を上げることができる。
【図面の簡単な説明】
【００１６】
【図１】本考案の一実施形態による自動的に方向転換を行う便蓋を示す斜視図である。
【図２】本考案の一実施形態による自動的に方向転換を行う便蓋を示す側面図である。
【図３】本考案の一実施形態による自動的に方向転換を行う便蓋を示す正面図である。
【図４】本考案の一実施形態による自動的に方向転換を行う便蓋を示す底面図である。
【図５】本考案の一実施形態による自動的に方向転換を行う便蓋を完全に閉じたときの状態を示す斜視図である。
【図６】本考案の一実施形態による自動的に方向転換を行う便蓋を回動させるときの状態を示す斜視図である。
【図７】本考案の一実施形態による自動的に方向転換を行う便蓋を回動させるときの状態を示す斜視図である。
【図８】本考案の一実施形態による自動的に方向転換を行う便蓋を回動させるときの状態を示す斜視図である。
【図９】本考案の一実施形態による便蓋および便座を上げたときの状態を示す斜視図である。
【図１０】本考案の一実施形態による便蓋および便座を上げたときの状態を示す拡大側面図である。
【考案を実施するための形態】
【００１７】
以下、本考案の実施形態について図に基づいて説明する。なお、これによって本考案が限定されるものではない。
【００１８】
図１および図２を参照する。図１および図２に示すように、本考案の好適な実施形態による自動的に方向転換を行う便蓋を備える便座は、起動装置１、便座２、便蓋３、持ち上げアーム４、方向転換アーム５およびベルト６を含む。
【００１９】
図２および図４を参照する。図２および図４に示すように、起動装置１は、ベース体１１上に設けられた第１の回動部１２および第２の回動部１３と、第１の回動部１２を駆動したり、第１の回動部１２と第２の回動部１３とをそれぞれ駆動したりするために用いるモータ（図示せず）と、を含む。本実施形態の自動的に方向転換を行う便蓋を備える便座は、起動装置１のベース体１１の中間部分に設けられた凹部１４をさらに含む。凹部１４には、２つの円筒状の第２の回動部１３が接続される。２つの第２の回動部１３の間には、円筒状の第１の回動部１２が接続される。モータは、ベース体１１中に配置され、第１の回動部１２を駆動したり、第１の回動部１２と第２の回動部１３とをそれぞれ駆動したりするために用いる。
【００２０】
図１および図２を参照する。図１および図２に示すように、便座２は、環状である。便座２は、後端部が起動装置１の第２の回動部１３に接続されている。便座２の後端部の中央箇所には、後述のベルト６を通すために用いる開口部２１が設けられている（図４を参照）。
【００２１】
図１〜図３を参照する。図１〜図３に示すように、便蓋３は、環状便座に対応した形状を有する。便蓋３の内面の中央部分に配置されたピボット座３１上には、上部枢着部３２およびベルト固定部３３が設けられている。
【００２２】
図１〜図３を参照する。図１〜図３に示すように、矩形状アームである持ち上げアーム４は、起動装置１の第１の回動部１２が接続された後端部と、下部枢着部４１が設けられた中間部と、を有する。本実施形態では、持ち上げアーム４の中間部分には、方向転換アーム５に対応した形状を有する嵌合溝４２が設けられている。この嵌合溝４２の中間部分には、下部枢着部４１が設けられている。下部枢着部４１は、嵌合溝４２中に横付けされた枢軸により構成され、後述の方向転換アーム５の下端部へ枢軸を貫設させることにより、下部枢着部４１と方向転換アーム５の下端部とを枢着させ、嵌合溝４２の前端部に近い内壁には、可動可能な位置決め鋼球４３が設けられている。
【００２３】
図１〜図３を参照する。図１〜図３に示すように、方向転換アーム５は、中央部分に凹溝５１が設けられた長尺部材である。方向転換アーム５は、持ち上げアーム４の下部枢着部４１へ回動可能に接続された下端部と、便蓋３の内面に設けられたピボット座３１の上部枢着部３２へ回動可能に接続された上端部と、を有する。この上端部は、便蓋３を押し上げることが可能な弾性部材５２へさらに接続されている。弾性部材５２は、上部枢着部３２に外嵌されたトーションバネである。凹溝５１中の上端部近くには、上部回転軸５３が横付けされ、下端部近くには下部回転軸５４が横付けされている。上部回転軸５３および下部回転軸５４には、金属製のスリップリングが外嵌されている。本実施形態では、方向転換アーム５の下端部が持ち上げアーム４の嵌合溝４２中の下部枢着部４１へ回動可能に接続され、方向転換アーム５の両側面には、位置決め鋼球４３に対応した箇所に位置決め孔５５が設けられ、この位置決め孔５５に位置決め鋼球４３を嵌合したり、位置決め孔５５から位置決め鋼球４３を離脱させたりすることができる。
【００２４】
図１〜図３を参照する。図１〜図３に示すように、ベルト６は、柔軟性を有する帯体であり、持ち上げアーム４および便座２に通され、便座２の底部に固定された下端部と（図２および図４を参照）、方向転換アーム５の下部回転軸５４の下方から凹溝５１に入れられ、下部回転軸５４および上部回転軸５３を通り、上部回転軸５３の上方から凹溝５１を出て、便蓋３の内面に設けられたピボット座３１のベルト固定部３３に接続された上端部と、を有する。
【００２５】
図１〜図３を再び参照する。図１〜図３に示すように、本実施形態の便蓋３に設けられたピボット座３１は、便蓋３の内面に接続された２つの凸座３１１を含む。上部枢着部３２およびベルト固定部３３は、２つの凸座３１１の間に設けられたクロスバーにそれぞれ横付けされている。クロスバーの１つは、方向転換アーム５の上端部に接続され、他のクロスバーは、ベルト６の上端部に接続されている。ベルト６の上端部は、楕円形状の環体であるリング６１に接続されている。リング６１は、クロスバー状のベルト固定部３３に係合されている。
【００２６】
図５を参照する。図５に示すように、本考案の一実施形態による自動的に方向転換を行う便蓋を備える便座を使用しないとき、便座２および便蓋３は閉じられた状態である。使用する場合、ユーザは制御ボックスまたはセンサを利用して電動で便座を上げたり、手動で便座を上げたりしてもよい。
【００２７】
図２および図６を参照する。図２および図６に示すように、本考案の一実施形態による自動的に方向転換を行う便蓋を備える便座が制御ボックスまたはセンサによる電動操作方式を利用した場合、ユーザの操作により起動装置１が第１の回動部１２を回動させると、持ち上げアーム４が駆動して後方に回転するとともに方向転換アーム５が上がり、方向転換アーム５の上端部に枢着されている便蓋３が単独で上げられるとともに、方向転換アーム５の下部回転軸５４が後方に回転することによりベルト６が引っ張られ、上端部の楕円形状のリング６１がベルト固定部３３を締め付ける。便蓋３が所定の高さまで上げられ、方向転換を行うのに十分な空間が形成されたときに、ベルト６およびリング６１によりベルト固定部３３を完全に引っ張る。これにより、便蓋３を下方へ引っ張り、方向転換を完了させることができる。図７および図８を参照する。図７および図８に示すように、持ち上げアーム４および方向転換アーム５が、所定の高さまで上昇されると、ベルト６により便蓋３が完全に引っ張られる。これにより、便蓋３の表面が便座２の前方方向に向けられ、便器を清潔に使用することができるとともに、便蓋３の内面にユーザの衣服が触れることを防ぐことができる。その上、便器を衛生的に使用することができる。さらに、図１および図５に示すように、便座２上を便蓋３で覆うときは、起動装置１の第１の回動部１２により、持ち上げアーム４および方向転換アーム５を前方へ回転させるとともに、方向転換アーム５の下部回転軸５４を前方へ回転させてベルト６を緩める。ベルト６の上端部により、便蓋３が強く引かれた状態が解除されると、方向転換アーム５の上端部の弾性部材５２により便蓋３が押し上げられ、便蓋３の方向を転換させて便座２上を覆う。
【００２８】
図９および図１０を参照する。図９および図１０に示すように、本考案の一実施形態による自動的に方向転換を行う便蓋を備える便座は、ユーザが制御ボックスまたはセンサを利用して電動操作を行う場合、起動装置１の第１の回動部１２および第２の回動部１３により持ち上げアーム４および便座２を同時に駆動させる。持ち上げアーム４は、同様に方向転換アーム５を支持し、方向転換アーム５の上端部に枢着された便蓋３を上げることができる。この際、便座２も上方へ同時に上がるため、便座２の底部に固定されているベルト６の下端部の固定点を同時に上昇させることができる。方向転換アーム５の下部回転軸５４によりベルト６が引っ張られないため、便蓋３は方向転換されない。これにより、便蓋３と便座２とが重なった状態で上げられる。このように、男性は小便をする前に、便座２を手で上げる必要がなくなり、簡便に便座２を清潔に保つことができる。また、便蓋３および便座２を同時に下方へ回動させるだけで便器を再び覆うことができる。
【００２９】
図１を参照する。図１に示すように、本考案の一実施形態による自動的に方向転換を行う便蓋を備える便座は、停電のときでもユーザは手動で便蓋３を上げることができる。つまり、持ち上げアーム４の位置決め鋼球４３から方向転換アーム５の位置決め孔５５を離脱させるだけで、方向転換アーム５および便蓋３のそれぞれを単独で上げることができる。このように、本実施形態による自動的に方向転換を行う便蓋を備える便座は、停電のときでも使用することができる。
【００３０】
上述した実施形態から分かるように、本考案は、電動便座および方向転換の構造を利用し、電動で制御された便蓋を開くときに便蓋の表面を前方へ向けることにより、便蓋の内面に衣服が触れることを防ぐことができるため、簡便かつ衛生的に便器を使用することができる。
【００３１】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３２】
１  起動装置
２  便座
３  便蓋
４  持ち上げアーム
５  方向転換アーム
６  ベルト
１１  ベース体
１２  第１の回動部
１３  第２の回動部
１４  凹部
２１  開口部
３１  ピボット座
３２  上部枢着部
３３  ベルト固定部
４１  下部枢着部
４２  嵌合溝
４３  位置決め鋼球
５１  凹溝
５２  弾性部材
５３  上部回転軸
５４  下部回転軸
５５  位置決め孔
６１  リング
３１１  凸座
【図１】
0003152430.tif 000003
【図２】
0003152430.tif 000004
【図３】
0003152430.tif 000005
【図４】
0003152430.tif 000006
【図５】
0003152430.tif 000007
【図６】
0003152430.tif 000008
【図７】
0003152430.tif 000009
【図８】
0003152430.tif 000010
【図９】
0003152430.tif 000011
【図１０】
0003152430.tif 000012